(57)【要約】      （修正有）【課題】メニューからの設定を済ませない場合であっても、ループ経路に入ることなく、予約録画に関する処理を可能にする技術を提供する。【解決手段】ＥＰＧ表示画面（ステップＳ１）から１番組を選択すると、番組の予約方法の選択を促す画面（ステップＳ２）に進み、ここで、録画予約を選択すると、録画予約の方法を選択するメニュー画面（ステップＳ３）に進み、ここでビデオ予約を選択すると、ステップＳ４においてビデオ連動録画設定済みフラグが未設定かどうかを判定し（ステップＳ４）、未設定の場合（ＹＥＳ）は従来と異なり、ステップＳ２ではなくステップＳ６、ステップＳ７からステップＳ８に進むように工夫されている。ステップＳ８でＥＰＧから選択した番組を予約する方を選択すると、ステップＳ９において、その番組をビデオ予約し、ＥＰＧ（ステップＳ１）画面に戻るようにする。【選択図】図４
2008028845.tif 000002
【特許請求の範囲】
【請求項１】
デジタル放送を録画可能な記録再生装置と、デジタル放送を受信可能なテレビジョン装置と、を有し、前記記録再生装置と前記テレビジョン装置とを連動させる連動制御が可能なデジタル機器システムであって、前記テレビジョン装置に表示させた電子番組表（ＥＰＧ）から番組を選択した場合に、連動制御の設定に関するフラグが設定済みであるか否かを判定し、該フラグが未設定の場合に連動に必要な連動用機器を使用するか否かの選択を促す選択画面を表示するデジタル機器システムにおいて、
前記選択画面において前記連動用機器を使用しない旨の選択をした場合に、メニュー表示から前記連動用機器に関する使用しない設定を行った場合と同様の処理にすることを特徴とするデジタル機器システム。
【請求項２】
デジタル放送を録画可能な記録再生装置と、デジタル放送を受信可能なテレビジョン装置と、を有し、前記記録再生装置と前記テレビジョン装置とを連動させる連動制御が可能なデジタル機器システムであって、前記テレビジョン装置に表示させた電子番組表（ＥＰＧ）から番組を選択した場合に、連動制御の設定に関するフラグが設定済みであるか否かを判定し、該フラグが未設定の場合に連動に必要な連動用機器を使用するか否かの選択を促す選択画面を表示するデジタル機器システムにおいて、
前記選択画面において前記連動用機器を使用しない旨の選択をした場合に、該連動用機器を使用しないに設定し前記フラグを設定済みにセットし、前記番組に関する予約を受け付けて前記電子番組表からの次の番組の選択画面に遷移するように制御がなされることを特徴とするデジタル機器システム。
【請求項３】
前記選択画面において前記連動用機器を使用する旨の選択をした場合は、前記連携機器の設定を行う画面に遷移し、前記フラグを設定済みにセットすることを特徴とする請求項１又は２に記載のデジタル機器システム。
【請求項４】
前記連動用機器は、ビデオコントローラであることを特徴とする請求項１から３までのいずれか１項に記載のデジタル機器システム。
【請求項５】
前記連動用機器は、ＨＤＭＩコントローラであることを特徴とする請求項１から３までのいずれか１項に記載のデジタル機器システム。
【請求項６】
ＨＤＭＩコントローラが接続されているか否かを確認する画面表示処理を行うことを特徴とする請求項５に記載のデジタル機器システム。
【請求項７】
録画予約を行う場合に、入力４端子設定が入力になっている場合には、その旨を表示することで出力に変更する処理を促すことを特徴とする請求項１から６までのいずれか１項に記載のデジタル機器システム。
【請求項８】
デジタル放送を録画可能な記録再生装置と、デジタル放送を受信可能なテレビジョン装置と、を有し、前記記録再生装置と前記テレビジョン装置とを連動させる連動制御が可能なデジタル機器システムであって、前記テレビジョン装置に表示させた電子番組表（ＥＰＧ）から番組を選択した場合に、連動制御に関する設定に関するフラグが設定済みであるか否かを判定し、該フラグが未設定の場合に連動に必要な連動用機器を使用するか否かの選択を促す選択画面を表示するデジタル機器システムにおける制御方法であって、
前記選択画面において前記連動用機器を使用しない旨の選択をした場合に、メニュー表示から前記連動用機器に関する使用しない設定を行った場合と同様の処理にするステップを有することを特徴とする制御方法。
【請求項９】
デジタル放送を録画可能な記録再生装置と、デジタル放送を受信可能なテレビジョン装置と、を有し、前記記録再生装置と前記テレビジョン装置とを連動させる連動制御が可能なデジタル機器システムであって、前記テレビジョン装置に表示させた電子番組表（ＥＰＧ）から番組を選択した場合に、連動制御に関する設定に関するフラグが設定済みであるか否かを判定し、該フラグが未設定の場合に連動に必要な連動用機器を使用するか否かの選択を促す選択画面を表示するデジタル機器システムにおける制御方法であって、
前記選択画面において前記連動用機器を使用しない旨の選択をした場合に、該連動用機器を使用しないに設定し前記フラグを設定済みにセットし、前記番組に関する予約を受け付けて前記電子番組表からの次の番組の選択画面に遷移するように処理されるステップを有することを特徴とする制御方法。
【請求項１０】
請求項８又は９に記載のステップをコンピュータに実行させるためのプログラム。
【発明の詳細な説明】
【技術分野】
【０００１】
本発明は、デジタル放送受信装置と記録再生装置とに関連したデジタル機器システムに関し、特に、複数の機器を接続した場合における種々の機能を提供する技術に関する。
【背景技術】
【０００２】
複数のデジタル家電機器を接続するための汎用性のある最新の規格として、例えば、ＨＤＭＩ規格が定められている。ＨＤＭＩ規格においては、ＣＥＣ（Ｃｏｎｓｕｍｅｒ  Ｅｌｅｃｔｒｏｎｉｃｓ  Ｃｏｎｔｒｏｌ）プロトコルを利用している。このＣＥＣプロトコルを利用して、ＨＤＭＩケーブルで接続された機器同士の連携を図るものである。
【０００３】
【表１】
2008028845.tif 000003
【０００４】
表１は、ＣＥＣコマンドの例を示すものであり、ＣＥＣコマンドは、汎用性を維持するために設けられ各機器又はベンダに依存せずに共通の共通コードと、ベンダが固有に規定することができる自由度をもたせるためのベンダに固有の固有コードと、に大別される。
【０００５】
例えば、ＨＤＭＩのベンダ固有コード（コマンド）を利用し機器に機能を持たせる連携システムも発表されてきている。
【０００６】
従来からビデオコントローラを利用して、デジタルテレビ受信装置と記録再生装置とを連携させたビデオ連動録画予約が可能であった。図１１は、ビデオ連動予約に関連する処理であって、デジタルテレビ受信装置と記録再生装置とをＨＤＭＩケーブルで接続した場合における録画予約処理の一般的な処理の流れを示す図である。
【０００７】
図１１に示すように、ステップＳ１０１においてＴＶ側からＥＰＧを表示させる。ＥＰＧから番組の予約処理に入ると、ステップＳ１０２に示すように、番組の予約方法を選択させるためのＧＵＩがテレビ側に表示される。ここで、録画予約を選択すると、ステップＳ１０３に示すように、録画予約の方法を選択させるためのＧＵＩに切り替わる。ビデオ予約を選択すると、ステップＳ１０４においてビデオ連動録画設定フラグが未設定かどうかを判断する。
【０００８】
未設定の場合にはステップＳ１０５進み、ビデオ連動設定を行うか否かに関するＧＵＩが表示される。ここで、設定する方を選択すると、ステップＳ１１２に進み、ビデオコントローラのタイプを設定し、ステップＳ１１４において、ステップＳ１１２で設定されたビデオコントローラをビデオ連動録画設定に関して設定する。ステップＳ１１３においてビデオコントローラを使用しない選択肢を選んだ場合には、ステップＳ１１５において、ビデオ連動録画設定に関してビデオコントローラを使用しないに設定する。次いで、ステップＳ１１６において、ビデオ連動録画設定済みフラグを「設定済み」にセットする。
【０００９】
尚、ＥＰＧ画面Ｓ１０１ではなくメニュー画面Ｓ１１１からステップＳ１１２に入った場合にも、同様の経路を辿って、ステップＳ１１７に至る。
【００１０】
ステップ１１７において、入った画面がメニューＳ１１１かＥＰＧの予約設定画面Ｓ１０１かを判定し、メニューの場合にはステップＳ１１１に戻り、予約設定画面の場合にはステップＳ１０６において、この番組をビデオ予約するか否かを判定し、予約する場合にはステップＳ１０７に進み、「この番組を予約しました。」の表示がなされ、戻るボタンによりＥＰＧＳ１０１に戻る。ステップＳ１０４で設定済みの場合（ＮＯ）は、ステップＳ１０６に進む。一方、ステップＳ１０５において、設定しないを選択すると、ステップＳ１０２のＥＰＧ画面に戻る。
【００１１】
このようにして、ＥＰＧ画面から入った場合と、メニュー画面から入った場合とで、それぞれ、ビデオ連動録画の選択・非選択を行うことができる。
【００１２】
尚、図１２に示すように、ビデオコントローラを設定しないユーザがビデオ予約を行う場合、取り扱い説明書には、「メニューＳ１１１から設定を済ませる。」と記載されており、メニューＳ１１１から経路Ａと通ってステップＳ１１６においてビデオ連動録画設定済みフラグを「設定済み」にセットしておけば、経路Ａのように、Ｓ１１１、Ｓ１１３、Ｓ１１５、Ｓ１１６、Ｓ１１７、Ｓ１１１の手順に進むことで、次には、ＥＰＧ画面Ｓ１０１から経路Ｂに示すように、Ｓ１０２（録画予約）、Ｓ１０３（ビデオ予約）、Ｓ１０４（ＮＯ）からＳ１０６（予約する）、Ｓ１０７の手順で予約を行うことができる。
【発明の開示】
【発明が解決しようとする課題】
【００１３】
しかしながら、図１３に示すように、ビデオコントローラを使用しないユーザが、ビデオ予約を行う場合、Ｓ１０１、Ｓ１０２（録画予約）、Ｓ１０３（ビデオ予約）、Ｓ１０４（Ｙｅｓ）、Ｓ１０５（設定する）、Ｓ１１３、Ｓ１１５、Ｓ１１６、Ｓ１１７、Ｓ１０６、Ｓ１０７、Ｓ１０１の経路Ｃを通ることをメーカは期待しているにもかかわらず、メニューＳ１１１からの設定を済ませる必要があることを知らないと（或いは、面倒になってしまうと）、ステップＳ１０４から、Ｓ１０５（設定しない）、Ｓ１０２の経路Ｄに示されるループに入ってしまい、このループから抜け出せなくなるという問題がある。
【００１４】
本発明は、メニューからの設定を済ませていない場合であっても、上記のようなループ経路に入ることなく予約録画に関する処理を可能にする技術を提供することを目的とする。
【課題を解決するための手段】
【００１５】
本発明の一観点によれば、デジタル放送を録画可能な記録再生装置と、デジタル放送を受信可能なテレビジョン装置と、を有し、前記記録再生装置と前記テレビジョン装置とを連動させる連動制御が可能なデジタル機器システムであって、前記テレビジョン装置に表示させた電子番組表（ＥＰＧ）から番組を選択した場合に、連動制御の設定に関するフラグが設定済みであるか否かを判定し、該フラグが未設定の場合に連動に必要な連動用機器を使用するか否かの選択を促す選択画面を表示するデジタル機器システムにおいて、
前記選択画面において前記連動用機器を使用しない旨の選択をした場合に、メニュー表示から前記連動用機器に関する使用しない設定を行った場合と同様の処理にすることを特徴とするデジタル機器システムが提供される。
【００１６】
上記デジタル機器システムによれば、電子番組表から番組を選択した場合に、連動用機器を使用しない旨を選択しても、元の画面に戻らずに、次の番組に関する処理ができる。      
【００１７】
本発明の他の観点によれば、デジタル放送を録画可能な記録再生装置と、デジタル放送を受信可能なテレビジョン装置と、を有し、前記記録再生装置と前記テレビジョン装置とを連動させる連動制御が可能なデジタル機器システムであって、前記テレビジョン装置に表示させた電子番組表（ＥＰＧ）から番組を選択した場合に、連動制御の設定に関するフラグが設定済みであるか否かを判定し、該フラグが未設定の場合に連動に必要な連動用機器を使用するか否かの選択を促す選択画面を表示するデジタル機器システムにおいて、前記選択画面において前記連動用機器を使用しない旨の選択をした場合に、該連動用機器を使用しないに設定し前記フラグを設定済みにセットし、前記番組に関する予約を受け付けて前記電子番組表からの次の番組の選択画面に遷移するように制御がなされることを特徴とするデジタル機器システムが提供される。
【００１８】
上記システムによれば、前記連動用機器を使用しない旨の選択をした場合であっても、連動制御の設定に関するフラグを設定済みにすることにより、フラグが未設定の場合に連動に必要な連動用機器を使用するか否かの選択を促す選択画面を表示することなく、次の番組に関する処理をＥＰＧ画面から行うことができる。
【００１９】
前記連動用機器は、ＨＤＭＩコントローラである場合に、ＨＤＭＩコントローラが接続されているか否かを確認する画面表示処理を行うことが好ましい。画面表示処理に基づいて、ユーザに対して、接続の確認を促すことができる。また、録画予約を行う場合に、入力４端子設定が入力になっている場合には、その旨を表示することで出力に変更する処理を促すことを特徴とする。これにより、入力と出力との兼用端子である４端子の設定間違いに関する警告を行うことができる。
【００２０】
本発明の他の観点によれば、デジタル放送を録画可能な記録再生装置と、デジタル放送を受信可能なテレビジョン装置と、を有し、前記記録再生装置と前記テレビジョン装置とを連動させる連動制御が可能なデジタル機器システムであって、前記テレビジョン装置に表示させた電子番組表（ＥＰＧ）から番組を選択した場合に、連動制御に関する設定に関するフラグが設定済みであるか否かを判定し、該フラグが未設定の場合に連動に必要な連動用機器を使用するか否かの選択を促す選択画面を表示するデジタル機器システムにおける制御方法であって、前記選択画面において前記連動用機器を使用しない旨の選択をした場合に、メニュー表示から前記連動用機器に関する使用しない設定を行った場合と同様の処理にするステップを有することを特徴とする制御方法が提供される。
【００２１】
また、デジタル放送を録画可能な記録再生装置と、デジタル放送を受信可能なテレビジョン装置と、を有し、前記記録再生装置と前記テレビジョン装置とを連動させる連動制御が可能なデジタル機器システムであって、前記テレビジョン装置に表示させた電子番組表（ＥＰＧ）から番組を選択した場合に、連動制御に関する設定に関するフラグが設定済みであるか否かを判定し、該フラグが未設定の場合に連動に必要な連動用機器を使用するか否かの選択を促す選択画面を表示するデジタル機器システムにおける制御方法であって、前記選択画面において前記連動用機器を使用しない旨の選択をした場合に、該連動用機器を使用しないに設定し前記フラグを設定済みにセットし、前記番組に関する予約を受け付けて前記電子番組表からの次の番組の選択画面に遷移するように処理されるステップを有することを特徴とする制御方法が提供される。これらのステップをコンピュータに実行させるためのプログラムも、本発明の範疇に入るものである。
【発明の効果】
【００２２】
本発明によれば、ＥＰＧ画面からのビデオ予約処理において、連動機器を使用しない場合であっても、処理がループ状になることなく、番組の予約処理を円滑に進めることができるという利点がある。
【発明を実施するための最良の形態】
【００２３】
以下に、本発明の実施の形態による電子機器システムについて、ＨＤＭＩ規格に基づくシステムの例にして図面を参照しながら説明を行う。図３は、本実施の形態による電子機器システムの一構成例を示す図である。図１は、図３に示すシステムのうち接続元電子機器の一例であるデジタル放送を受信可能な液晶テレビジョン装置（以下、デジタル放送受信装置と称する。）の一構成例を示す機能ブロック図である。図２は、図３に示すシステムのうち接続先電子機器の一例であるＤＶＤレコーダ（記録再生装置）の一構成例を示す機能ブロック図である。
【００２４】
上記表１には、ＣＥＣコマンド（コード）の例を示す。表１に示すように、ＣＥＣコマンドは、ＨＤＭＩ規格において共通コードと、ベンダ固有の固有コードと、を含む。ここで、ベンダ固有コードとしては、メニュー設定の転送、番組情報、特殊なリモコンキー、詳細なエラー通知などに関するコードがある。すなわち、レコーダの予約機能は、ベンダにより自由度をもって設定が可能である。
【００２５】
図１に示すように、デジタル放送受信装置Ａは、アンテナ１と、デジタル放送のチューナを含むデジタル放送受信部３と、ＨＤＭＩインターフェイス部５と、ＨＤＭＩ信号処理部７と、デコーダ１１と、リモコン受光部１５と、音声信号の処理を行う音声信号処理部２５と、処理後の音声信号に基づく音声を出力するスピーカ２１と、映像信号の処理を行う映像信号処理部２７と、処理後の映像信号に基づく映像を出力するディスプレイ２３と、これらの各機能ブロックについてバスラインを通して制御する制御部（ＣＰＵ）１７と、下記の処理を行うためのプログラムやその他の情報を記憶する記憶部１８（ＲＯＭ）・１９（ＲＡＭ）と、有している。
【００２６】
図２に示すように、ＤＶＤレコーダＢは、アンテナ４１と、デジタルチューナ４３と、ＨＤＭＩ信号処理部４５と、制御部４７と、リモコン受光部５１と、記憶部（ＨＤＤ）５３と、ＨＤＭＩインターフェイス部５５と、電子番組表取得部５７と、ＤＶＤなどの光ディスク駆動部６３と、操作部６７と、を有している。
【００２７】
図３は、図１及び図２に示すデジタル放送受信装置ＡのＨＤＭＩ入力端子５とＤＶＤレコーダＢのＨＤＭＩ出力端子５５とをＨＤＭＩケーブルによって接続した様子を示す図である。デジタル放送受信装置ＡとＤＶＤレコーダＢとの間において、矢印に示すように、ＤＶＤレコーダＢからデジタル放送受信装置Ａに向けて映像信号が流れ、デジタル放送受信装置ＡとＤＶＤレコーダＢとの間において制御信号（ＣＥＣコード）は双方向に流れる。機器間におけるＨＤＭＩケーブルを介してＣＥＣコードの制御信号のやり取りに基づいて、機器間における制御処理を行うことができる。
【００２８】
図４は、本実施の形態によるビデオ連動予約に関連する処理であって、デジタルテレビ受信装置と記録再生装置とをＨＤＭＩケーブルで接続した場合における録画予約処理の一般的な処理の流れを示す図であり、図１１から図１３までに対応する図である。図４に示すように、本実施の形態によるビデオ連動予約処理においては、ＥＰＧ表示画面（ステップＳ１）から１番組を選択すると、番組の予約方法の選択を促す画面（ステップＳ２）に進み、ここで、録画予約を選択すると、録画予約の方法を選択するメニュー画面（ステップＳ３）に進み、ここでビデオ予約を選択すると、ステップＳ４においてビデオ連動録画設定済みフラグが未設定かどうかを判定し（ステップＳ４）、未設定の場合（ＹＥＳ）に従来と異なり、ステップＳ２ではなくステップＳ６、ステップＳ７からステップＳ８に進むように工夫されている。
【００２９】
より詳細には、ステップＳ５でビデオコントローラを使用しない場合にステップＳ２に戻るのではなく、予約登録を継続できるようにしている。すなわち、ステップＳ６に進み、ビデオ連動録画設定について「ビデオコントローラを使用しない」に設定を行い、次いで、ステップＳ７においてビデオレン増録画設定済みフラグを「設定済」にセットする。さらに、ステップＳ８に進む経路とし、ステップＳ８でＥＰＧから選択した番組を予約する方を選択すると、ステップＳ９において、その番組をビデオ予約し、ＥＰＧ（ステップＳ１）画面に戻るようにする。
【００３０】
このような仕組みを形成しておくことで、ＥＰＧ画面から次の番組を選んだ場合に、ステップＳ４においてＮｏの方に進むため、次々とＥＰＧ（ステップＳ１）から選んだ番組を選択してビデオ予約していくことができる。すなわち、従来は、ステップＳ５において、「ビデオコントローラを使用しない」を選択すると、ステップＳ２に戻ってしまい、経路がループ状になるため、結局、ユーザは、メニューＳ１１に入ってフラグの設定を行う必要があり、マニュアルなどを参照しなければ、ループを回る処理になってしまっていたが、本実施の形態では、上記の新規の経路を形成することで、特にマニュアル等を参照しなくてもユーザが処理に迷うことなく、ＥＰＧ画面からのビデオ予約を円滑に進めることができるという利点がある。
【００３１】
尚、ステップＳ５におけるメニュー画面において、「ビデオコントローラを使用しますか？後でメニューのビデオ連動録画設定にて変更可能です。」との説明により、後でメニューＳ１１から入ればビデオコントローラに関する設定が可能であることを説明し、さらに、「使用しない場合はビデオコントローラを用いたビデオ連動制御ができません。録画する機器側での設定が必要です。」との説明を入れることで、ビデオコントローラを用いたビデオ連動制御ができないためレコーダ側での設定が必要であることを確認的にユーザに知らせている。このようにすることで、ユーザが迷うことなく予約登録を継続可能である。
【００３２】
尚、上記図４におけるＭ１からＭ５までは、それぞれのメニュー画面を指す符号である。Ｍ１は、ステップＳ２の番組の予約方法の選択を促すメニュー画面、Ｍ２はステップＳ３の録画予約の方法の選択を促す画面、Ｍ３はビデオコントローラの使用を行うか否かを選択する画面、Ｍ４は番組のビデオ予約をするか否かに関する回答を促す画面、Ｍ５はビデオ予約をした後にＥＰＧ（ステップＳ１）に戻るための画面である。
【００３３】
以下、本実施の形態によるビデオ予約登録画面について図面を参照しながら説明を行う。図５から図７までは、予約前に必要な設定及び接続関連画面の例を示す図である。図５は、録画予約時にビデオコントローラ未設定の場合のメニュー表示例を示す図である。まず、ＥＰＧから予約もしくは予約変更を行いたい場合には（Ｓ２１）、ステップＳ２２においてメニュー画面Ｍ１を表示して、番組の予約方法（視聴、録画などの予約の種類）の選択を、視聴予約、録画予約、予約しない、の３つの選択肢からの選択を促す。ここで、レコーダによる録画予約を選択すると、ステップＳ２３においてメニュー画面Ｍ２が表示され、番組の予約方法（ビデオによる予約か、ｉＬＩＮＫによる予約か、ＨＤＭＩによる予約か、など）の選択を促す。ここでの選択肢としては、例えば、ビデオ予約、ｉＬＩＮＫ予約、ＨＤＭＩコントローラ予約、予約しない、の４つの選択肢が示され、ユーザに選択を促す。
【００３４】
ここで、ビデオ予約を選択すると、ステップＳ２４に進み、メニュー画面Ｍ３に示すように、「ビデオコントローラを使用しますか？」と画面上で問いかけるとともに、「使用しない場合はビデオコントローラを用いたビデオ連動制御ができません。録画する機器側での設定が必要です。」との説明と、「使用する」か「使用しない」かの選択ボタンとが提示される。ここで、「使用する」にすれば、ビデオコントローラによる予約が行われることになる。「使用しない」にすれば、録画する機器側での設定になる。
【００３５】
図６は、ＨＤＭＩコントローラを用いたビデオ連動制御（設定されなかったか、或いは、個人情報初期化後）に関連するＧＵＩに関する画面表示例を示す図である。図６に示すように、まず、ステップＳ２５において、電子番組表（ＥＰＧ）からの予約もしくは予約変更を行おうとすると、ステップＳ２６においてメニュー画面Ｍ１が表示され、番組予約に関する種別の選択が促される。選択肢は、視聴予約、録画予約、予約しない、の３つである。ここで、録画予約を選択すると、ステップＳ２７に進み、メニュー画面Ｍ２が表示される。ここでは、番組の予約方法（予約手段）の選択が促される。選択肢は、ビデオ予約、ｉＬＩＮＫ予約、ＨＤＭＩコントローラ予約、予約しない、の４通りである。ＨＤＭＩコントローラを用いたビデオ連動制御を行う場合には、「ＨＤＭＩコントローラ予約」を選択する。この際、図６に示すように、ＨＤＭＩ規格に基づく対象機器が接続されていないなどの問題があると、「ＨＤＭＩコントロール録画連動機器が設定されていないためＨＤＭＩコントロール録画予約の設定はできません。連動機器の設定を確認してください。」などの表示がなされる。この表示は、接続不良又は未接続の場合に、ユーザに接続を再確認させるための警告となる。ここで、ユーザは接続状態などを確認し必要に応じて対策を取ってから、「確認」ボタンを押す。この処理により、ＨＤＭＩコントローラを用いたビデオ連動予約ができる。
【００３６】
図７は、入力４端子、すなわち入力端子としても出力端子としても利用可能な兼用端子である４番目の端子の設定が「入力」に設定されてしまっている場合の表示画面例を示す図である。入力４端子設定が入力に設定されている場合は、ステップＳ３１のメニュー画面Ｍ２において、録画予約の方法の選択を促すメニュー表示Ｍ２が行われ、ビデオ予約、ｉＬＩＮＫ予約、ＨＤＭＩコントロール予約、予約しない、の４つの選択肢が表示される。ここで、本来は、入力４端子が「入力」ではなく「出力」に設定されているべきであるから、ビデオ予約を選択すると、ステップＳ３２において、入力４端子は、「入力」かどうかの判定がなされ、入力である場合には（ＹＥＳ）ステップＳ３３においてメニュー表示Ｍ７が表示され、「入力４端子が「入力」に設定されています。予約設定後、「モニター出力（固定）」に変更して下さい。」との表示がなされる、ステップＳ３２において、「出力」に設定されている場合は（ＮＯ）、以下に説明する予約処理に進む。また、リモコンの戻るキーなどを押した場合には、ステップＳ３１に戻る。メニュー表示Ｍ７内の警告を読むと、ユーザは「次へ」を押す。「次へ」を押すと、図８のＢ）の予約処理に移行する。
【００３７】
図８から図１０は、上記手順により登録・設定された後の予約処理の流れを示す図である。図８は、ＨＤＭＩコントロール予約における表示の遷移を示す図である。まず、ステップＳ４１（メニュー画面Ｍ２）において、録画予約の方法の選択が促され、ビデオ予約、ｉＬＩＮＫ予約、ＨＤＭＩコントロール予約、予約しない、の４つの選択肢が提示される。ここから、ＨＤＭＩコントロール予約を選択すると、ステップＳ４２において、ＨＤＭＩコントロール連動機器が接続されているか否かを判定することで機器接続を確認し、ＨＤＭＩコントロール連動機器が接続されていれば（ＹＥＳ）、ステップＳ４３において、「この番組をＨＤＭＩコントロール予約しますか？」とのメニュー表示Ｍ８がなされ、ＥＰＧから選択された１つの番組について実際に、予約する、予約しない、の選択肢が示される。リモコンなどの戻るボタンを押すと、ステップＳ４１に戻る。「予約しない」を選択すると、ＥＰＧ画面に戻る。ユーザは、別の番組を選択することも可能である。ここで、「予約する」を押すと、ステップＳ４４に進み、「この番組をＨＤＭＩコントロール予約しました。」とのメニュー表示Ｍ９が表示される。ここでも、リモコンの戻るなどを操作すると、ＥＰＧ画面に戻る。メニュー内の戻るボタンを押しても、ＥＰＧ画面に戻る。
【００３８】
一方、ステップＳ４２においてコントロール連動機器が接続されていない（ＮＯ）と判定されると、ステップＳ４５に進み、メニュー画面Ｍ６が表示される。このメニュー画面Ｍ６においては、「ＨＤＭＩコントトロール録画連動機器が設定されていないため、ＨＤＭＩコントロール録画予約の設定はできません。連動機器の設定を確認してください。」などの表示がなされ、ユーザに対して設定又は接続に関する注意を促す。連動機器の設定を確認し、確認ボタンを押すとＥＰＧ画面に戻る。
【００３９】
次に、予約フローにおける、ビデオ予約について図９を参照しながら説明する。まず、ステップＳ５１において、メニュー画面Ｍ２が表示され、録画予約の方法の選択を促す画面が表示される。選択肢は、ビデオ予約と、ｉＬＩＮＫ予約と、ＨＤＭＩコントトロール予約と、予約しない、との４通りである。ここで、ユーザがビデオ予約を選択すると、入力４端子は「入力」であるか否かを判定し（ステップＳ５６）、入力であれば（ＹＥＳ）、ステップＳ５７に進みメニュー画面Ｍ７が表示される。ここでは、「入力４端子設定が「入力」に設定されています。予約設定後、「モニター出力（固定）」に変更してください。」などの表示がなされ、次に進む操作を行うとステップＳ５２に進む。また、ステップＳ５６において、「入力」でない場合（出力の場合）にも（ＮＯ）、ステップＳ５２に進む。ステップＳ５２においては、ビデオ連動設定がされているか否かが判定され、ビデオ連動設定されていなければ（ＮＯ）ステップＳ５５に進み番組予約方法をユーザに選択させる選択メニューが表示される。ここでは、３通りの選択肢が示される。予約するか、予約しないか、に基づいて、ステップＳ５８において、予約しない場合には（ＮＯ）ＥＰＧに進み、予約する場合には（ＹＥＳ）ステップＳ５９に進み予約画面から、ＥＰＧに進む。尚、リモコンの戻るボタンを押すとステップＳ５１に戻る。
【００４０】
ステップＳ５２において、ビデオ連動設定がなされている場合には（ＹＥＳ）、ステップＳ５３に進み、ビデオ連動に関するメニュー表示Ｍ３を行う。ここでは、「ビデオコントローラを使用しますか？使用しない場合はビデオコントローラを用いたビデオ連動制御ができません。録画刷る機器側での設定が必要です。」などの表示がなされ、ビデオコントローラを使用するか、使用しないか、の選択を促す。ビデオコントローラを使用しない場合には、ステップＳ５５に進む。ビデオコントローラを使用する場合には、ビデオ連動設定画面ステップＳ５４に進み（リモコンの「戻る」ボタンでステップＳ５３に戻ることができる）、ビデオ連動設定画面においてビデオ連動設定を終了してステップＳ５５に進む。
【００４１】
さらに、ステップＳ５６において入力４端子が「入力」であれば（ＹＥＳ）、ステップＳ５７に進み、メニュー画面Ｍ７を表示して、「入力４端子設定が「入力」に設定されています。予約設定後、「モニター出力（固定）」に変更してください。」との表示がなされ、決定ボタンを押すと、ステップＳ５２に戻る。
【００４２】
図１０は、図９においてステップＳ５６からＮＯになった場合の処理例を示す図である。ステップＳ５６から、ステップＳ６１に進み、ビデオ連動設定は未設定か否かを判定する。未設定の場合には（ＹＥＳ）、ステップＳ６４に進みメニューＭ３を表示する。このメニューＭ３において、「ビデオコントローラを使用しますか？使用しない場合はビデオコントローラを用いたビデオ連動制御ができません。録画する機器側での設定が必要です。」との表示がなされ、ユーザに使用するか使用しないかの選択を促す。ここで、リモコンなどで戻る操作を行った場合には、ステップＳ６５においてメニューＭ２で、「録画予約の方法を選んでください。」と表示し、ビデオ予約、ｉＬＩＮＫ予約、ＨＤＭＩコントロール予約、予約しない、の中から選択させる。
【００４３】
ステップＳ６４において、「使用する」を選択するとステップＳ６６に、「使用しない」を選択するとステップＳ６２に進む。「使用する」を選んだ場合には、ステップＳ６６で、従来と同じビデオ連動録画設定処理を行う。その後、予約設定画面からステップＳ６２に進む。ここでも、リモコン装置などで「戻る」を押すとステップＳ６４に進む。ステップＳ６４において、「使用しない」を選ぶと、ステップＳ６２に進む。ステップＳ６２においては、メニューＭ１０が表示され、「この番組をビデオ予約しますか？」との表示がなされる。ここでの選択肢は、予約する、詳細を設定する、予約しない、である。「予約しない」を選択すると、ＥＰＧに戻る。「予約する」を選択すると、ステップＳ６３においてメニューＭ１１を表示する。ここで、リモコンで「戻る」を選択すると、ＥＰＧに進む。このメニューでは、「ビデオコントローラを使用しますか？使用しない場合はビデオコントローラを用いたビデオ連動制御ができません。録画する機器側での設定が必要です。」との表示がなされ、メニュー内の「戻る」を選択した場合も、ＥＰＧに進む。
【００４４】
以上に説明したように、図４に示すフローチャートにおける処理において、ＥＰＧから番組を選択し、ビデオコントローラを使用しないユーザが、「ビデオコントローラを使用しない」旨の選択した場合に、メニューから入り直してビデオコントローラを使用しない旨の設定を済ませないと再び番組の予約方法の選択画面に戻ることでループを抜けられないという問題がある。本実施の形態では、「ビデオコントローラを使用しない」を選択した場合に、その旨を設定しビデオ連動録画設定済みフラグを「設定済み」に強制的にセットする処理とすることにより、何度もビデオコントローラの使用・不使用を問われることなく、番組の予約を順次行っていくことができるという利点がある。
従って、上記各メニュー表示の遷移を用いて説明したように、ＥＰＧから番組を選択し、ビデオコントローラを使用しない場合でも、順次番組を予約登録する処理を継続することができる。
【００４５】
尚、上記実施の形態においては、ＨＤＭＩ規格により接続可能な機器を例にして説明したが、その他、ｉＬＩＮＫ機器なども対象となる。
【産業上の利用可能性】
【００４６】
本発明は、ＨＤＭＩ接続機器システムに利用可能である。
【図面の簡単な説明】
【００４７】
【図１】図１は、下記図３に示すシステムのうち接続元電子機器の一例であるデジタル放送を受信可能な液晶テレビジョン装置（以下、デジタル放送受信装置と称する。）の一構成例を示す機能ブロック図である。
【図２】図２は、図３に示すシステムのうち接続先電子機器の一例であるＤＶＤレコーダ（記録再生装置）の一構成例を示す機能ブロック図である。
【図３】図３は、本実施の形態による電子機器システムの一構成例を示す図である。
【図４】本発明の一実施の形態によるビデオ連動予約に関連する処理であって、デジタルテレビ受信装置と記録再生装置とをＨＤＭＩケーブルで接続した場合における録画予約処理の一般的な処理の流れを示す図であり、図１１から図１３までに対応する図である。
【図５】録画予約時にビデオコントローラ未設定の場合のメニュー表示例を示す図である。
【図６】ＨＤＭＩコントローラを用いたビデオ連動制御（設定されなかったか、或いは、個人情報初期化後）に関連するＧＵＩに関する画面表示例を示す図である。
【図７】入力４端子、すなわち入力端子としても出力端子としても利用可能な兼用端子である４番目の端子の設定が「入力」に設定されてしまっている場合の表示画面例を示す図である。
【図８】図８は、ＨＤＭＩコントロール予約における表示の遷移を示す図である。
【図９】予約フローにおける、ビデオ予約に関する表示画面遷移図である。
【図１０】図９においてステップＳ５６からＮＯになった場合の処理例を示す図である。
【図１１】ビデオ連動予約に関連する処理であって、デジタルテレビ受信装置と記録再生装置とをＨＤＭＩケーブルで接続した場合における録画予約処理の一般的な処理の流れを示す図である。
【図１２】ビデオコントローラを設定しないユーザがビデオ予約を行う場合の処理の流れを示す図である。
【図１３】ビデオコントローラを使用しないユーザが、ビデオ予約を行う場合の例を示す図である。
【符号の説明】
【００４８】
Ａ…デジタル放送受信装置、Ｂ…ＤＶＤレコーダ、１…アンテナ、３…デジタル放送受信部、５…ＨＤＭＩインターフェイス部、７…ＨＤＭＩ信号処理部、１１…デコーダ、１５…リモコン受光部、１７…制御部（ＣＰＵ）、１８…記憶部、２１…スピーカ、２３…ディスプレイ、２５…音声信号処理部、２７…映像信号処理部、４１…アンテナ、４３…デジタルチューナ、４５…ＨＤＭＩ信号処理部、４７…制御部、５１…リモコン受光部、５３…記憶部（ＨＤＤ）、５５…ＨＤＭＩインターフェイス部、５７…電子番組表取得部、６３…光ディスク駆動部、６７…操作部。
【図１】
2008028845.tif 000004
【図２】
2008028845.tif 000005
【図３】
2008028845.tif 000006
【図４】
2008028845.tif 000007
【図５】
2008028845.tif 000008
【図６】
2008028845.tif 000009
【図７】
2008028845.tif 000010
【図８】
2008028845.tif 000011
【図９】
2008028845.tif 000012
【図１０】
2008028845.tif 000013
【図１１】
2008028845.tif 000014
【図１２】
2008028845.tif 000015
【図１３】
2008028845.tif 000016
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
デジタル放送のチューナを含む第１のデジタル放送受信部と、第１のＨＤＭＩインターフェイス部と、第１のＨＤＭＩ信号処理部と、音声映像信号処理部と、各機能を制御する第１の制御部と、第１の記憶部と、を有しデジタル放送を受信可能なテレビジョン装置と、第２のデジタル放送受信部と、第２のＨＤＭＩインターフェイス部と、第２のＨＤＭＩ信号処理部と、第２の制御部と、第２の記憶部と、を有する記録再生装置と、を有し、ＨＤＭＩケーブルを介してＣＥＣコードの制御信号のやり取りに基づいて、装置間において制御処理を行うことで装置間の連携をはかることができるデジタル機器システムであって、前記テレビジョン装置に表示させた電子番組表（ＥＰＧ）表示画面から１番組を選択すると、番組の予約方法の選択を促すメニュー画面表示に進み、該メニュー画面表示において録画予約を選択すると、録画予約の方法を選択するメニュー画面表示に進み、ここでビデオ予約を選択すると、ビデオ連動録画設定済みフラグであって、該ビデオ連動録画設定済みフラグが未設定の場合には、ビデオ連動設定を促す画面に遷移し、設定済みの場合にはビデオ予約の確認画面に遷移するビデオ連動録画設定済みフラグが未設定かどうかを判定し、未設定の場合に、ビデオコントローラの使用の有無を選択する画面に遷移し、ビデオコントローラを使用しない選択をすると、ビデオ連動録画設定済みフラグを「設定済」にセットし、ＥＰＧから選択した番組を予約するか否かの選択を促し、ＥＰＧから選択した番組の予約を選択すると、その番組をビデオ予約し、前記番組に関する予約を受け付けて前記電子番組表からの次の番組の選択画面に遷移するように制御がなされることを特徴とするデジタル機器システム。
【請求項２】
前記選択画面において前記ビデオコントローラを使用する旨の選択をした場合は、該ビデオコントローラの選択を行う画面に遷移し、選択した後に前記ビデオ連動録画設定済みフラグを設定済みにセットすることを特徴とする請求項１に記載のデジタル機器システム。
【請求項３】
前記連携用の機器は、ビデオコントローラであることを特徴とする請求項１又は２に記載のデジタル機器システム。
【請求項４】
前記連携用の機器は、ＨＤＭＩコントローラであることを特徴とする請求項１又は２に記載のデジタル機器システム。
【請求項５】
ＨＤＭＩコントローラが接続されているか否かを確認する画面表示処理を行うことを特徴とする請求項４に記載のデジタル機器システム。
【請求項６】
録画予約を行う場合に、入力４端子設定が入力になっている場合には、その旨を表示することで出力に変更する処理を促すことを特徴とする請求項１から５までのいずれか１項に記載のデジタル機器システム。
【請求項７】
デジタル放送のチューナを含む第１のデジタル放送受信部と、第１のＨＤＭＩインターフェイス部と、第１のＨＤＭＩ信号処理部と、音声映像信号処理部と、各機能を制御する第１の制御部と、第１の記憶部と、を有しデジタル放送を受信可能なテレビジョン装置と、第２のデジタル放送受信部と、第２のＨＤＭＩインターフェイス部と、第２のＨＤＭＩ信号処理部と、第２の制御部と、第２の記憶部と、を有し、ＨＤＭＩケーブルを介してＣＥＣコードの制御信号のやり取りに基づいて、装置間において制御処理を行うことで装置間の連携をはかることができるデジタル機器システムにおける制御方法であって、
前記テレビジョン装置に表示させた電子番組表（ＥＰＧ）表示画面から１番組を選択に応じて、番組の予約方法の選択を促すメニュー画面表示を行うステップと、
該メニュー画面表示において録画予約を選択すると、録画予約の方法を選択するメニュー画面表示を行い、ここでビデオ予約を選択すると、ビデオ連動録画設定済みフラグであって、該ビデオ連動録画設定済みフラグが未設定の場合には、ビデオ連動設定を促す画面に遷移し、設定済みの場合にはビデオ予約の確認画面に遷移するビデオ連動録画設定済みフラグが未設定かどうかを判定し、未設定の場合に、ビデオコントローラの使用の有無を選択する画面に遷移するステップと、
ビデオコントローラを使用しない選択をすると、ビデオ連動録画設定済みフラグを「設定済」にセットし、ＥＰＧから選択した番組を予約するか否かの選択を促し、ＥＰＧから選択した番組の予約を選択すると、その番組をビデオ予約し、前記番組に関する予約を受け付けて前記電子番組表からの次の番組の選択画面に遷移するステップと
を有することを特徴とする制御方法。
【請求項８】
請求項７に記載のステップをコンピュータに実行させるためのプログラム。
【手続補正２】
【補正対象書類名】明細書
【補正対象項目名】００１２
【補正方法】変更
【補正の内容】
【００１２】
尚、図１２に示すように、ビデオコントローラを設定しないユーザがビデオ予約を行う場合、取り扱い説明書には、「メニューＳ１１１から設定を済ませる。」と記載されており、メニューＳ１１１から経路Ａと通ってステップＳ１１６においてビデオ連動録画設定済みフラグを「設定済み」にセットしておけば、経路Ａのように、Ｓ１１１、Ｓ１１３、Ｓ１１５、Ｓ１１６、Ｓ１１７、Ｓ１１１の手順に進むことで、次には、ＥＰＧ画面Ｓ１０１から経路Ｂに示すように、Ｓ１０２（録画予約）、Ｓ１０３（ビデオ予約）、Ｓ１０４（ＮＯ）からＳ１０６（予約する）、Ｓ１０７の手順で予約を行うことができる。
【非特許文献１】"High-Definition Multimedia Interface Specification Version 1.1 May 20,2004"，又は、２００４年  ５月２０日，<URL:http://www.hdmi.org/download/HDMI_Specification_1.1.pdf>
【非特許文献２】http://www.sharp.co.jp/support/aquos/doc/lc37ad1_ope.pdf取扱説明書：http://www.sharp.co.jp/support/aquos/doc/lc37ad1_ope.pdf又は液晶カラーテレビ LC-37AD1 取扱説明書（操作編）93ページ、「BS・110度CSデジタル放送を楽しむ」、「電子番組表（EPG）から番組を予約する（つづき）」、「録画予約」、「ビデオ連動予約するとき」